(57)【特許請求の範囲】
【請求項１】
端末に信号を送信する、アンテナネットワークを構成する複数のリモート無線ユニットと、前記アンテナネットワークに接続されている集中ベースバンドプールと、を有する移動通信システムであって、
前記集中ベースバンドプールは、複数のクラスタのそれぞれに含まれているリモート無線ユニットの数が動的に可変するように、含まれているリモート無線ユニットの数の小から大の順にしたがって、前記複数のリモート無線ユニットに対してクラスタリングを行なうことを特徴とする移動通信システム。
【請求項２】
一つのスケジューリング時刻内において、前記複数のクラスタのそれぞれに含まれているリモート無線ユニットの数は１からｎ（ｎは２以上の自然数）の間で動的に可変することを特徴とする請求項１に記載の移動通信システム。
【請求項３】
前記集中ベースバンドプールは、それぞれの端末に対するＳＩＮＲ値に基づいて、クラスタゲインを算出し、前記複数のリモート無線ユニットに対してクラスタリングを行なうことを特徴とする請求項１に記載の移動通信システム。
【請求項４】
前記集中ベースバンドプールが前記複数のリモート無線ユニットに対してクラスタリングを行なった後に、それぞれの前記クラスタ内には数の異なる前記リモート無線ユニットが含まれていることを特徴とする請求項１に記載の移動通信システム。
【請求項５】
端末に信号を送信する、アンテナネットワークを構成する複数のリモート無線ユニットと、前記アンテナネットワークに接続されている集中ベースバンドプールと、を有する移動通信システムのリモート無線ユニットクラスタリング方法であって、
複数のクラスタのそれぞれに含まれているリモート無線ユニットの数が動的に可変するように、含まれているリモート無線ユニットの数の小から大の順にしたがって、前記複数のリモート無線ユニットに対してクラスタリングを行なうことを特徴とする移動通信システムのリモート無線ユニットクラスタリング方法。
【請求項６】
一つのスケジューリング時刻内において、前記複数のクラスタのそれぞれに含まれているリモート無線ユニットの数は１からｎ（ｎは２以上の自然数）の間で動的に可変することを特徴とする請求項５に記載の移動通信システムのリモート無線ユニットクラスタリング方法。
【請求項７】
それぞれの端末に対するＳＩＮＲ値に基づいて、クラスタゲインを算出し、前記複数のリモート無線ユニットに対してクラスタリングを行なうことを特徴とする請求項５に記載の移動通信システムのリモート無線ユニットクラスタリング方法。
【請求項８】
前記集中ベースバンドプールが前記複数のリモート無線ユニットに対してクラスタリングを行なった後に、それぞれの前記クラスタ内には数の異なる前記リモート無線ユニットが含まれていることを特徴とする請求項５に記載の移動通信システムのリモート無線ユニットクラスタリング方法。
【発明の詳細な説明】
【技術分野】
【０００１】
本発明は複数基地局協調サービスを支持する移動通信システム及びそのリモート無線ユニットクラスタリング方法に関し、柔軟性が高く、無線リソースを節約することができる。
【背景技術】
【０００２】
移動ユーザの増加及びデータ速度に対する高い要求に伴い、従来のセルラネットワークはますます多くのユーザの需要を満たすことができなくなっている。国際標準化組織３ＧＰＰ（The 3rd-Genenration Partnership Project）は、第二世代および第三世代移動通信ネットワークのシステムアーキテクチャと規格を開発し、これらの規格は現在すでにエアインターフェースが配置されているネットワークに応用されている。いま、３ＧＰＰは第四世代移動通信ネットワークに向けてロングタームエボリューションバージョンＬＴＥ（Long Term Evolution）およびロングタームエボリューションアドバンスドバージョンＬＴＥ−Ａ（Long Term Evolution-Advanced）の制定に着手し、その目的はシステムのスペクトラム利用率（スループット／バンド幅）を増やし、特にセルエッジのスペクトラム利用率を増やすことである。
【０００３】
しかしながら、ＬＴＥ／ＬＴＥ−Ａシステムは隣接するセルで同じ周波数を使用するため、セル間の強い干渉を引き起こす。光ファイバを利用して基地局の無線モジュールを離れた場所に持っていくと、リモート無線ユニットになり、ネットワーク計画により決められた基地局に分布配置され、元の一体式基地局のカバー範囲をカバーする。それぞれのリモート無線ユニットは小さい送信パワーを利用し、セル間の干渉が明らかに減少する。これが最初の分散アンテナシステムの概念である。
【０００４】
また、協調マルチポイント伝送ＣｏＭＰの採用もセル間の干渉を有効に減少する方法の一つである。第二世代および第三世代移動通信ネットワークにおいて、通常は一つのセルが一つのユーザにサービスを提供する。以下では「シングルポイント伝送」と略称する。シングルポイント伝送とは、十分に近接する一組のアンテナから送受信を行なうことである。これらのアンテナの通常の距離は数波長しかなく、同じ長時間のフェージングを経験する。この一組のアンテナを一つの「ポイント」と称する。以下の実施例、例えば、「一組の全方向性アンテナを有する一つの基地局」、「セクタに分けられた基地局の一つのセクタ」、一つの「家庭基地局」、一つの「中継局」、分散アンテナシステムにおける一つの「リモート無線ユニット」などは、いずれも「シングルポイント伝送」と見なすことができる。一つの「ポイント」のカバー範囲を「セル」と総称する。「マルチポイント伝送」とは、近接しない複数のアンテナグループから送受信を行なうことである。これらのアンテナ組の距離は通常数波長で、異なる長時間のフェージングを経験する。以下の実施例、例えば、基地局間の協調マルチポイント伝送、セクタ間の協調マルチポイント伝送（同一基地局の複数のセクタおよび異なる基地局の複数のセクタを含む）、複数のリモート無線ユニット間の協調マルチポイント伝送、基地局と中継局間の協調マルチポイント伝送などは、いずれも「マルチポイント協調伝送」と見なすことができる。協調マルチポイント伝送は端末から各ポイントの位置までの距離に基づいてビームフォーミングを行なうことができ、セル間の干渉を除去しまたは利用することができる。本特許においては分散アンテナシステムを検討するため、いわゆるポイントとは、リモート無線ユニットであり、それぞれのリモート無線ユニットが一組の全方向性アンテナを使用する場合、独立したセルＩＤを有する。
【０００５】
以下、図８に基づいて従来技術の分散アンテナシステムについて説明する。
【０００６】
図８は従来のＬＴＥ／ＬＴＥ−Ａ基地局に基づく分散アンテナシステムの典型的なサービスシーンである。基地局１０２はゲートウェイ１０１と接続して他のネットワークにアクセスする。基地局１０２はベースバンドユニット１０２１とリモート無線ユニットの１０４１〜１０４３、１０５１〜１０５３から構成される。ベースバンドユニット１０２１の主な機能は、コーディング／デコーディング、変調／復調などを含む信号のベースバンド処理を行なう。リモート無線ユニット１０４１−１０４３、１０５１−１０５３の主な機能は、信号のＡ／Ｄ変換、周波数変換、フィルターリング、増幅及び無線送信を実現する。リモート無線ユニットの１０４１〜１０４３、１０５１〜１０５３は光ファイバ１０２３とベースバンドユニット１０２１を介して接続されている。この分散アンテナシステムにおいては、協調マルチポイント伝送が採用されている。ある時刻において、端末１０３が受けたサービスは同じ基地局に属する二つのリモート無線ユニット１０４１、１０４２の協調伝送で、端末１０４が受けたサービスは異なる基地局に属する三つのリモート無線ユニット１０４３、１０５１、１０５２の協調伝送である。
【０００７】
しかし、上述の分布アンテナシスムはセルラセルの固有構造の制限を受けるため、解決できない様々な問題点が存在する。例えば、システムにおけるそれぞれの基地局はいずれも一つの基地局アドレスを占用しなければならず、これは独立した機械室、エアコン及び電気供給設備を配備しなければならないことを意味し、基地局の建設やメンテナンスにおいて、このような構造は膨大なコストが伴うことになる。さらに、ＬＴＥシステムにおいて協調マルチポイント伝送（ＣｏＭＰ：Ｃｏｏｒｄｉｎａｔｅｄ  Ｍｕｌｔｉｐｏｉｎｔ  Ｔｒａｎｓｍｉｓｓｉｏｎ／Ｒｅｃｅｐｔｉｏｎ）のコンセプトが提案されているが、無線リソースは限られた協調セル内でしか割り当てることができず、大規模なリソースの最適化は図れない。以上の問題点を防ぐために、将来の高速無線通信システムには新しいシステムアーキテクチャを導入しなければならない。集中ベースバンドプールに基づく分散アンテナシステムはこのような要求に適合する真新しい無線アクセスシステムである。
【０００８】
以下、図９に基づいて従来技術の集中ベースバンドプールに基づく分散アンテナシステムについて説明する。
【０００９】
図９は集中ベースバンドプールに基づく分散アンテナシステムのシステムフレーム図である。このシステムは二つの重要な部分を含み、一つはユーザ端末に信号を送信する複数のリモート無線ユニット２１１〜２２６を備える分布アンテナネットワーク２０４で、光ファイバリモート技術を利用して複数のリモート無線ユニットが柔軟に配置されている。もう一つは集中ベースバンドプール２０１で、システムにおけるすべての基地局のベースバンド部分を一か所に集中させて一つのベースバンドプールを形成し、高速信号処理技術を利用して高効率のリソース割り当てを行なう。集中ベースバンドプールは必要とする機械室の数を大幅に減少し、ネットワークの無線リソースの整合と共有を可能にし、協調マルチポイント伝送技術の応用に有利である。この二つの部分は改良された光伝送ネットワーク２０３を介して接続されており、スイッチ２０２がリアルタイムでサービスを行なうリモート無線ユニットポートによって制御される。
【００１０】
上述のどの分散アンテナシステムも協調マルチポイント伝送技術を利用してセル間の干渉を減少するとともにセルのスペクトラムの利用率を向上することができる。明らかに、全ネットワークの「リモート無線ユニット」がすべて協調することは非現実であるが、結局いくつのポイントを利用して協調するか、どのようにして協調するかはまさに我々が議論しようとするリモート無線ユニットのクラスタリング問題である。クラスタリングとは、リモート無線ユニットをある規則にしたがってグループ分けすることである。各グループ内のリモート無線ユニットにおいてユーザに対してマルチポイント協調伝送サービスを行なうことにより、ユーザのスループットを十分に向上させることができる。
【００１１】
以下、図１０と図１１に基づいて従来技術の分散アンテナシステムにおけるリモート無線ユニットの静的クラスタリングと分散アンテナシステムにおけるリモート無線ユニットの動的クラスタリングについてそれぞれ説明する。
【００１２】
図１０は分散アンテナシステムにおけるリモート無線ユニットの静的クラスタリングの略図である。図において、クラスタサイズは４である。「静的クラスタリング」とは、システムの企画段階で、リモート無線ユニットがすでに固定のモデルにしたがってクラスタに分けられたことである。ネットワークが企画された後、クラスタは変化することができない。例えば、図１０に示すように、全ネットワークの１６個のリモート無線ユニットは四つのクラスタに分けられている。クラスタ１、２、３、４のサイズ（クラスタ内のリモート無線ユニットの数）はいずれも４である。それぞれのクラスタ内に移動した端末は当該クラスタ内の四つのリモート無線ユニットからのサービスしか受けられない。このようなクラスタリング方法は比較的に簡単であるが、柔軟性が低く、システムのスループットが制限される。例えば、図１０における端末Ｄ１はクラスタ１の中心に位置し、クラスタ１によりよいサービスが提供されるが、端末Ｄ２はクラスタ１とクラスタ２のエッジに位置し、クラスタ２によりサービスが提供される場合クラスタ１に対して大きな干渉が発生する。
【００１３】
図１１は分散アンテナシステムにおけるリモート無線ユニットの動的クラスタリングの略図である。図において、クラスタサイズは２である。「動的クラスタリング」とは、ある時刻から異なる時刻までの間にクラスタの構成は動的に変化が生じる。例えば、図１１（Ａ）は時刻Ｎのクラスタリング結果で、図１１（Ｂ）は時刻Ｎ＋１のクラスタリング結果である。このような方法は、通常モバイル設備とそれぞれのリモート無線ユニットとの間のリアルタイムのチャネル状態情報に基づいて総合的な判断を行ない、アルゴリズムは複雑であるが、柔軟性が高く、システムのスループットが高い。
【００１４】
従来技術においても、分散アンテナシステムのマルチポイント伝送問題が度々言及されている。
【００１５】
特許文献１においては、分散アンテナシステムにおけるサブセルの測定方法が公開されている。このような分布システムは事実上従来基地局に基づく無線リモートシステムである。当該特許における「サブセルの概念」は、本特許における一つのＲＲＨ（Ｒｅｍｏｔｅ  Ｒａｄｉｏ  Ｈｅａｄ）がカバーする区域に相当する。一組の「サブセル」は協調してモバイル端末にサービスを提供する。しかし、この特許において、どのような方法で複数の「サブセル」をいっしょに組み合せて協調してモバイル端末にサービスを提供するかについては言及されていない。二つまたは複数のサブセルを利用して協調してモバイル端末にサービスを提供すると簡単に言及しただけだった。
【００１６】
特許文献２においては、マルチポイント伝送システムにおける下り伝送方法が提案されているが、具体的な協調セルのクラスタリング方法については言及しなかった。
【００１７】
特許文献３においては、無線通信基地局の動的分布アンテナ選択システム及びその実現方法が公開されている。このような分散アンテナシステムは事実上従来基地局に基づく無線リモートシステムである。この発明の実現方法はＫ個のアンテナユニットからその中のＮ個のアンテナを選択して送信を行なうことである。発明の中ではアンテナの選択方法は環境の障害物、業務種類とユーザの位置に基づいて動的選択を行なうと簡単に紹介しただけで、具体的なアルゴリズムについては説明しなかった。
【００１８】
特許文献４においては、分散アンテナシステムにおける電力割り当てとアンテナ選択方法が提案されている。基地局は各端末の受信したアンテナ信号強度を所定時間内で統計して平均化し、閾値より大きいアンテナのみに対して電力割り当てを行ない、無線チャネルがよいアンテナを選択してモバイル端末との通信を実現する。しかし、このような方法は上りの信号強度に基づいてアンテナの選択を行なうため、上り下りリンクが関係ないＦＤＤシステムには適用しない。
【先行技術文献】
【特許文献】
【００１９】
【特許文献１】国際公開公報  第ＷＯ  ２０１０／０７７１９２号
【特許文献２】中国公開公報  第ＣＮ１０１７７７９４１号
【特許文献３】中国公開公報  第ＣＮ１０１１８５２７０号
【特許文献４】中国公開公報  第ＣＮ１０１６３１３７９号
【特許文献５】中国公開公報  第ＣＮ１０１３８９１１５号
【発明の概要】
【発明が解決しようとする課題】
【００２０】
上述の提案と特許において、その多くはマルチポイント伝送によって得られる恩恵、例えば、セル間の干渉の減少、スループットの大幅な向上のようなところに着目しているが、実際のシステムにおいて、マルチポイント協調伝送技術は常に時々刻々と必要とするものではない。以下、図１に基づいてマルチポイント協調伝送技術を必要としない状況について説明する。
【００２１】
図１はマルチポイント協調伝送に適しないシーンの例示図である。５０１はリモート無線ユニットのカバー範囲である。端末Ｄ１がリモート無線ユニット５１１のカバー区域５０１の中心にあるときには、リモート無線ユニット５１１から受信した信号は非常によいが、リモート無線ユニット５１２、５１３、５１４から受信した信号は弱い。そのため、このシーンにおいては、リモート無線ユニット５１１によるシングルポイント伝送だけで十分である。端末がリモート無線ユニット５１１の周縁に移動したときのみ、マルチポイント伝送によって性能を向上する必要があると考えられる。
【００２２】
本発明は上記の問題点を鑑みてなされたものであり、柔軟性が高く、無線リソースを節約できる、複数基地局協調サービスを支持する移動通信システム及びそのリモート無線ユニットクラスタリング方法を提供することを目的とする。
【課題を解決するための手段】
【００２３】
本発明に関わる移動通信システムは、端末に信号を送信する、アンテナネットワークを構成する複数のリモート無線ユニットと、前記アンテナネットワークに接続されている集中ベースバンドプールと、を有する移動通信システムであって、前記集中ベースバンドプールは、複数のクラスタのそれぞれに含まれているリモート無線ユニットの数が動的に可変するように、前記複数のリモート無線ユニットに対してクラスタリングを行なうことを特徴とする。
【００２４】
本発明に関わる移動通信システムのリモート無線ユニットクラスタリング方法は、端末に信号を送信する、アンテナネットワークを構成する複数のリモート無線ユニットと、前記アンテナネットワークに接続されている集中ベースバンドプールと、を有する移動通信システムのリモート無線ユニットクラスタリング方法であって、複数のクラスタのそれぞれに含まれているリモート無線ユニットの数が動的に可変するように、前記複数のリモート無線ユニットに対してクラスタリングを行なうことを特徴とする。
【００２５】
本発明に関わる移動通信システムおよびそのリモート無線ユニットクラスタリング方法は、各スケジューリング時刻に対して、クラスタリングの方法が動的であるだけではなく、クラスタのサイズも可変する。クラスタのサイズが１である場合はシングルポイント伝送を採用したことになり、クラスタの大きさが１より大きい場合はマルチポイント伝送を採用したことになる。「クラスタゲイン」に基づくクラスタリング方法を採用して、結局どの伝送方法を採用するかを判断するとともにそれぞれのクラスタのサイズを判断する。
【発明の効果】
【００２６】
本発明の移動通信システムおよびそのリモート無線ユニットクラスタリング方法によると、移動通信システムの柔軟性をさらに向上するとともに無線リソースを節約することができる。
【図面の簡単な説明】
【００２７】
【図１】従来技術のマルチポイント協調伝送に適しないシーンの例示図である。
【図２】本発明における「クラスタゲイン」に基づくクラスタリング結果の略図である。
【図３】本発明における集中ベースバンドプールの内部機能モジュールの略図である。
【図４】本発明における測定ウィンドウに基づく測定の略図である。
【図５】本発明における「クラスタゲイン」に基づく動的クラスタリング方法のシグナリングインタラクティブ図である。
【図６】本発明における「クラスタゲイン」に基づく動的クラスタリング方法のアルゴリズムフローチャートである。
【図７】本発明における「クラスタゲイン」に基づく動的クラスタリング方法の簡単な実現例である。
【図８】従来技術のＬＴＥ／ＬＴＥ−Ａ基地局に基づく分散アンテナシステムの図である。
【図９】従来技術の集中ベースバンドプールに基づく分散アンテナシステムのシステムフレーム図である。
【図１０】従来技術のクラスタサイズが固定されたリモート無線ユニットの静的クラスタリングの略図である。
【図１１】従来技術のクラスタサイズが固定された分散アンテナシステムにおけるリモート無線ユニットの動的クラスタリングの略図である。
【発明を実施するための形態】
【００２８】
以下、図６〜１０に基づいて本発明の実施形態について説明する。
【００２９】
本発明の集中ベースバンドプールに基づく分散アンテナシステムは、図９に示す従来技術の集中ベースバンドプールに基づく分散アンテナシステムに対して改良を行なって得られたものである。したがって、従来技術と異なる点のみについて詳しく説明する。
【００３０】
本発明の移動通信システムは、端末に信号を送信する、アンテナネットワークを構成する複数のリモート無線ユニットと、アンテナネットワークに接続されている集中ベースバンドプールと、を有し、集中ベースバンドプールは、複数のクラスタのそれぞれに含まれているリモート無線ユニットの数が動的に可変するように、複数のリモート無線ユニットに対してクラスタリングを行なう。また、本発明の移動通信システムにおいて、複数のクラスタのそれぞれに含まれているリモート無線ユニットの数は１〜ｎ（ｎは２以上の自然数）の間で動的に可変する。また、本発明の移動通信システムにおいて、集中ベースバンドプールは、含まれているリモート無線ユニットの数の小から大の順に、複数のリモート無線ユニットに対してクラスタリングを行なう。また、本発明の移動通信システムにおいて、集中ベースバンドプールは、それぞれの端末に対するＳＩＮＲ値に基づいて、複数のリモート無線ユニットに対してクラスタリングを行なう。さらに、本発明の移動通信システムにおいて、集中ベースバンドプールが複数のリモート無線ユニットに対してクラスタリングを行なった後に、それぞれのクラスタ内には数の異なるリモート無線ユニットが含まれている。
【００３１】
図２は本発明における「クラスタゲイン」に基づくクラスタリング結果の略図である。この図から、異なるスケジューリング時刻において、クラスタリングの結果はマルチポイント伝送とシングルポイント伝送の間で動的に変化することが分かる。図２Ａに示すように、前の時刻（時刻Ｎ）において、リモート無線ユニット６０１、６０２はそれぞれクラスタ２、クラスタ５に属し、シングルポイント伝送状態にある。図２Ｂに示すように、次の時刻（時刻Ｎ＋１）において、リモート無線ユニット６０１は他のリモート無線ユニットとともにクラスタサイズ２のクラスタ１を構成し、リモート無線ユニット６０２は他の二つのリモート無線ユニットとともにクラスタサイズ３のクラスタ４を構成し、マルチポイント伝送状態になる。
【００３２】
以下、図３に基づいて本発明における集中ベースバンドプールの構成について説明する。
【００３３】
図３は本発明における集中ベースバンドプールの内部機能モジュールの略図である。
【００３４】
図３に示すように、集中ベースバンドプール９０１は、ユーザ優先度情報メモリ７０２、測定情報メモリ７０３およびチャネル状態情報メモリ７０４を含むシステムパラメータデータベース７０１と、ユーザスケジューリング部７０６と、動的クラスタリング制御部７０７と、無線リソース管理部７０８と、複数のクラスタ信号処理部７０９と、を備える。
【００３５】
システムパラメータデータベース７０１には、無線ベアラパラメータ、電力制御パラメータおよび切換パラメータなどのようなネットワークの固定設定と手動設定のすべてのパラメータが記憶されている。ここでは本発明に関わる部分だけ言及する。
【００３６】
ユーザ優先度情報メモリ７０２にはユーザのスケジューリング優先度を保存する。それぞれのＲＲＨ（リモート無線ユニット）はいずれも一枚のユーザ優先度リスト表を有し、リモート無線ユニットのＩＤによって区別する。具体的な生成プロセスは後文のユーザスケジューリング部７０６に対する説明部分に記載する。
【００３７】
【表１】
0005697622.tif 000002
【００３８】
測定情報メモリ７０３にはそれぞれのリモート無線ユニットに配置した隣接リモート無線ユニット情報を保存する。移動局があるリモート無線ユニットにつながると、システムはこのリスト表から一つの行（当該移動局に対応するメインサービスリモート無線ユニット）を当該移動局に送信して、移動局に測定を行なわせる。このようにして移動局の有効測定範囲とフィートバックオーバーヘッドを大幅に減少することができる。
【００３９】
表２は手動設定された測定情報テーブルの代表例である。一列目は全ネットワークのリモート無線ユニットＩＤである。これらのリモート無線ユニットはいずれも端末のメインサービスリモート無線ユニットとすることが可能である。メインサービスリモート無線ユニットとは、当該端末に対して言えば、受信信号の最も良いリモート無線ユニットのことであり、ネットワークインタラクティブのシグナリング情報を端末に提供することができる。二列目から最終列目まではこれらのリモート無線ユニットのために配置した隣接リモート無線ユニットである。移動局はメインサービスリモート無線ユニットおよび隣接リモート無線ユニットのチャネル状態情報しか測定できない。例えば、端末のメインサービスリモート無線ユニットがＲＲＨ３である場合、ネットワークはＲＲＨ３に対応する行が含まれている測定制御メッセージを当該端末に送信する。端末が測定制御メッセージを受信してから、ＲＲＨ３のほかにＲＲＨ２、ＲＲＨ４、ＲＲＨ６、ＲＲＨ７およびＲＲＨ８のチャネル状態情報も測定する。この例において、それぞれのリモート無線ユニットには最大で六つの隣接リモート無線ユニットを配置することができる。実際のシステムにおいて、このパラメータは複雑度と性能に応じて調整することができる。
【００４０】
【表２】
0005697622.tif 000003
【００４１】
簡単に実現できる一つの方法は四角形／円形の測定ウィンドウによって測定設定を行なうことである。四角形測定ウィンドウによる測定方法は図４に示す通りである。表３は図４に示すＲＲＨ分布の四角形測定ウィンドウに基づく測定情報テーブルの代表例である。
【００４２】
【表３】
0005697622.tif 000004
【００４３】
チャネル状態情報メモリ７０４には異なる端末に対応する測定されたチャネル状態情報を保存する。それぞれの端末は測定情報テーブル（表２）の内容に基づいてメインサービスリモート無線ユニットとそれぞれの隣接リモート無線ユニットとの間のチャネル状態情報を測定報告する。表４に示すようなチャネル状態情報テーブルを取得し、測定情報メモリ７０３に記憶する。
【００４４】
【表４】
0005697622.tif 000005
【００４５】
ユーザデータバッファ７０５には受信したまたは送信待ちのユーザデータを保存する。
【００４６】
ユーザスケジューリング部７０６はシステムにおけるユーザに対してスケジューリングを行なう。システムの中には大量の非リアルタイムパケットデータ業務が存在するが、システムの総チャネル容量が限られているため、当該ユーザスケジューリング部７０６がユーザのＱｏｓ要求に基づいて業務の種類を判断し、所定の時間内でいくつかのユーザを選択してサービスを行なう必要がある。本特許においては、ユーザが全バッファ型業務モデルを使用すると仮定する。すなわち、すべてのユーザはずっとデータを送信するリクエストがあると仮定する。それぞれのＲＲＨはいずれも自分のユーザを比例公平（ＰＦ）原則に基づいて優先度パラメータを算出し、大から小の順に並べて、ユーザ優先度リスト表を取得して、それを７０２に保存する。あるユーザｋの優先度パラメータの具体的な算出方法は数式１に示す通りである。
【００４７】
【数１】
0005697622.tif 000006
（式において、ｒｋは当該スケジューリング時刻のリアルタイム伝送速度で、
0005697622.tif 000007
はユーザｋの過去の一定期間のタイムウィンドウ内での平均伝送速度である。）
【００４８】
動的クラスタリング制御部７０７は本発明における最も重要な部分であり、「クラスタリングゲイン」に基づいてクラスタリングを行い、シングルポイント伝送とマルチポイント伝送の間（あるいはクラスタサイズが異なるマルチポイント伝送の間）の切り換えを行なう。
【００４９】
無線リソース管理部７０８は主に分けられたクラスタに対して電力割り当てなどのようなリソース割り当てを行う。
【００５０】
クラスタ信号処理部７０９は動的クラスタリング制御部７０６の結果に応じてリアルタイムに生成される。例えば、複数のリモート無線ユニットがｎ個のクラスタに分けられると、ｎ個のクラスタ信号処理部を有することになる。クラスタ信号処理部７０９は主にクラスタ内の信号処理、例えば、協調プリコーディング、変調／復調、コーディング／デコーディング、周波数拡散／逆拡散などを行なう。
【００５１】
図４は本発明における測定ウィンドウに基づく測定略図である。ユーザの移動に伴い、測定範囲はメインサービスＲＲＨの具体的な位置（例えば、経度と緯度）を中心とする、長さＸｍ、幅Ｙｍの四角形エリアであり、四角形測定ウィンドウ８０１と呼び、ＸとＹは必要に応じて任意に設定することができる。このエリア内にあるＲＲＨは自動的にＵＥ（Ｕｓｅｒ  Ｅｑｕｉｐｍｅｎｔ）に測定されるＲＲＨになる。図４に示すように、ユーザのメインサービスＲＲＨがＲ６である場合、測定範囲は左上方の四角形測定ウィンドウ内のＲＲＨである。ユーザのメインサービスＲＲＨがＲＲＨ１２である場合、測定範囲は右下の四角形測定ウィンドウ内の６個のＲＲＨであり、Ｒ７、Ｒ８、Ｒ１１、Ｒ１２、Ｒ１５、Ｒ１６を含む。このように類推する。実際これは半自動的な測定設定である。矩形エリアの大きさは現在ネットワークの作業量に基づいて柔軟に変更することができ、ネットワークはさらに設定された測定ウィンドウの大きさに基づいて、データベースから検索を行なう。例えば、リモート無線ユニットＲ６の作業量負荷が重いときに、比較的に大きい矩形エリアを使用して、協調可能なセルの数を増やし、ＵＥにもっと良い選択余地を与えて、一部の負荷をこれらのセルに平均化させる。
【００５２】
図５は本発明における「クラスタゲイン」に基づく動的クラスタリング方法のシグナリングインタラクティブ図である。
【００５３】
ステップ９０２において、集中ベースバンドプール９０１は測定制御メッセージをリモート無線ユニットＲ１、Ｒ２、…、ＲＮに送信する。当該測定制御メッセージには測定ＩＤ、測定対象情報および測定報告設定などを含む測定情報フィールドが含まれている。測定対象情報フィールドには隣接リモート無線ユニットリスト表が含まれている。即ち、表１の中の当該移動局に対応するメインサービスリモート無線ユニットの一行は、移動局が対応するチャネル状態情報を測定するのに使われる。さらに、測定すべき各ＲＲＨのリファレンス信号ポート数、リファレンス信号パターン（ＣＳＩ−ＲＳ  ｐａｔｔｅｒｎ）などを含む設定情報を提供する必要がある。
【００５４】
ステップ９０３において、端末Ｄ１、Ｄ２、…、Ｄｍは受信した信号にしたがって、チャネル推定を行い、端末とメインサービスリモート無線ユニットおよび隣接リモート無線ユニットのチャネル状態情報を算出する。
【００５５】
ステップ９０４において、端末Ｄ１、Ｄ２、…、Ｄｍはネットワーク、スイッチなどを経由して、測定されたリモート無線ユニットＩＤおよび対応するチャネル状態情報を含む測定報告メッセージを集中ベースバンドプール９０１に送信する。
【００５６】
ステップ９０５において、集中ベースバンドプール９０１は端末Ｄ１、Ｄ２、…、Ｄｍから送信されたチャネル状態情報を受信した後に、チャネル状態情報メモリ７０４に記憶されているチャネル状態情報を更新する。チャネル状態情報のフォーマットは図９に示す通りである。
【００５７】
ステップ９０６において、集中ベースバンドプール９０１のユーザスケジューリング部７０６は比例公平（ＰＦ）原則に基づいて、それぞれのＲＲＨのユーザに対してソーティングを行なう。ユーザ優先度リストを取得したら、ユーザ優先度情報メモリ７０２に記憶されているユーザ優先度情報を更新する。
【００５８】
ステップ９０７において、動的クラスタリング制御部７０７は「クラスタゲイン」に基づく方法でクラスタリングを行なう。当該方法については後文の図６に対する説明に記載する。
【００５９】
ステップ９０８において、各クラスタの情報処理部７０９を動的に生成する。
【００６０】
ステップ９０９において、各クラスタに相応する無線リソースを割り当てる。
【００６１】
ステップ９１０において、集中ベースバンドプール９０１は処理済みのデータをそれぞれのリモート無線ユニットＲ１、Ｒ２、…ＲＮのアンテナポートに送信する。
【００６２】
ステップ９１１において、それぞれのリモート無線ユニットＲ１、Ｒ２、…ＲＮはシングルポイント伝送またはマルチポイント伝送サービスをユーザ端末に提供する。
【００６３】
以下、図６に基づいて本発明の分散アンテナシステムの伝送方式である動的切換方法について説明する。
【００６４】
図６は本発明における「クラスタゲイン」に基づく動的クラスタリング方法のアルゴリズムフローチャートである。
【００６５】
ステップ１００１において、それぞれのＲＲＨのユーザ優先度リスト表（表１参照）から優先度の最も高いユーザ端末を選択すると、Ｍ個のユーザ端末が選択される（Ｍ≦Ｎで、ＮはネットワークにおけるＲＲＨの総数である）。
【００６６】
ステップ１００２において、初期化を行ない、ＢをＮ個のＲＲＨの集合とし、ＵをＭ個のユーザ端末の集合とする。
【００６７】
ステップ１００３において、シングルポイント伝送に基づいてこれらのＭ個の端末のＳＩＮＲ（Signal to Interference-plus-Noise Ratio）を計算する。端末ｋのＳＩＮＲは数式２によって表すことができる。
【００６８】
【数２】
0005697622.tif 000008
【００６９】
数２において、分子は受信された有用な信号を表し、ｈｉｋはメインサービスリモート無線ユニットＲＲＨｉからＵＥｋまでのチャネル状態情報で、ｗｉはＲＲＨｉからのプリコーディングマトリックスで、ＰｉはＲＲＨｉの送信パワーである。分母の中の第一項は干渉を表し、ｓｉは端末が属するメインサービスリモート無線ユニットＲＲＨｉの隣接リモート無線ユニット集合で、ｈｊｋは隣接サービスリモート無線ユニットＲＲＨｊからＵＥｋまでのチャネル状態情報である。分母の中の第二項Ｎは加算性ガウスホワイトノイズである。式において、すべてのチャネル状態情報ｈは集中ベースバンドプール９０１に記憶されている（表４参照）ため、プリコーディングマトリックスｗはチャネルｈのＳＶＤ分解によって得られる。
【００７０】
ステップ１００４において、これらのユーザ端末のＳＩＮＲ１が閾値Ｔ１より大きいか否かを判断する。ＳＩＮＲ１が閾値Ｔ１より大きいと、このユーザ端末はセル中心のユーザかまたは干渉が小さい。ＳＩＮＲ１が閾値Ｔ１より小さいと、このユーザ端末はセルエッジのユーザであるかまたは干渉が大きい。Ｔ１は予め決められた値である。動的クラスタリング制御部７０７は一組の経験値の中（例えば、｛−１ｄＢ，０ｄＢ，１ｄＢ，２ｄＢ｝）から現在のネットワーク負荷などの状況に基づいて、この値を微調整してＳＩＮＲがＴ１より大きいユーザにメインサービスＲＲＨを割り当ててシングルポイント伝送を行ない、これらのユーザが属するクラスタのサイズを１とし、その結果をクラスタリング結果テーブルに書き込む。
【００７１】
【表５】
0005697622.tif 000009
【００７２】
ステップ１００５において、すでに一対になったＲＲＨとユーザ端末を集合Ｂと集合Ｕからそれぞれ削除する。アルゴリズムの簡素化のために、ここでは一つのＲＲＨが一つの時間帯に一つのクラスタにしか属することができず、複数のクラスタによって共同占用されることはできないと仮定する。また、一つのユーザ端末は一つの時間帯に一つのクラスタにしか属することができず、複数のクラスタのリソースを同時に占用することはできないと仮定する。
【００７３】
ステップ１００６において、このときの選択待ちＲＲＨの集合Ｂが空集合であるか否か、つまりＲＲＨが配分済みだったか否かを判断する。「ＹＥＳ」と判断された場合はアルゴリズムが終了し、「ＮＯ」と判断された場合はステップ１００７に進む。
【００７４】
ステップ１００７において、このときの選択待ちユーザ端末の集合Ｕが空集合であるか否か、つまりユーザ端末がサービスを受けているか否かを判断する。「ＹＥＳ」と判断された場合は、アルゴリズムが終了し、「ＮＯ」と判断された場合はステップ１００８に進む。
【００７５】
ステップ１００８において、クラスタサイズｃに１を加え、次の優先度のマルチポイント伝送の判断に備える。
【００７６】
ステップ１００９において、このときのクラスタサイズｃが最大クラスタサイズＣｍａｘの制限を超えたか否かを判断する。「ＹＥＳ」であると判断された場合はステップ１０１３に進み、「ＮＯ」と判断された場合はステップ１０１０に進む。マルチポイント協調サービスにおいて、「ポイント」を多く使う必要はない。複雑度がポイント数の増加につれて迅速に増大するだけでなく、返送リンクのオーバーヘッド増加をもたらす。また、マルチポイント伝送のゲインも飽和状態に達する。そのため、実際のシステムにおいて、マルチポイント伝送の最大のポイント数、つまりここで言うクラスタサイズの最大値Ｃｍａｘを制限しなければならない。経験値に基づいて、通常この値を３または４に設定する。
【００７７】
ステップ１０１０において、残りのＲＲＨを用いてクラスタサイズｃにしたがって組み合わせを行なう。それぞれのＲＲＨをメインサービスＲＲＨとし、測定情報テーブル内（例えば、表２または表３）のすべての利用可能な隣接集合ＲＲＨ内からｃ−１個を選択してサイズがｃであるクラスタの組み合わせを行うと、
0005697622.tif 000010
種類の組み合わせができる。端末ｋのＳＩＮＲｃは数３によって表すことができる。
【００７８】
【数３】
0005697622.tif 000011
【００７９】
数３において、Ｃはユーザ端末にサービスを提供するクラスタに含まれているＲＲＨの集合である。分子はクラスタＣ内のすべてのＲＲＨがユーザ端末のために有効なデータ伝送を行なうときに、ユーザ端末が受信した有用な信号を表す。ユーザ端末のメインサービスＲＲＨＩは必ずクラスタ内に含まれている。分母の中の第一項はクラスタ外の干渉を表し、主にこのクラスタには属しないが端末が属するメインサービスリモート無線ユニットＲＲＨＩの隣接リモート無線ユニット集合ＳＩに属するＲＲＨから来る。具体的なパラメータに関する説明は図４のステップ９０２における測定制御メッセージと同じである。
【００８０】
ステップ１０１１において、
0005697622.tif 000012
の中のそれぞれの組み合わせのクラスタゲインを計算する。クラスタサイズをｃとすると、複数のユーザ端末に同時にサービスを提供するクラスタゲインＧｃは数４の通りである。
【００８１】
【数４】
0005697622.tif 000013
【００８２】
数４において、Ｒｃはクラスタｃに属するユーザ端末がクラスタのマルチポイント協調サービスにより得たデータ速度の和である。Ｒ１はクラスタｃに属するユーザ端末がシングルセルサービスにより得たデータ速度の和である。
【００８３】
クラスタゲイン値に基づいて大から小の順に並べると、クラスタゲインテーブルが得られる。表６はクラスタサイズが３であるクラスタゲインの表示例である。表６では利用可能なＲＲＨのすべての組み合わせを並べており、制限条件としては測定情報テーブルに基づいてクラスタ内ＲＲＨの選択をしなければならない。同じＲＲＨの組み合わせが現れたときにはその中の一つのみを保留する。例えば、テーブルの中のｃｌｕｓｔｅｒ１とｃｌｕｓｔｅｒ４に重複したクラスタ情報が含まれていると、即ちクラスタ内に同じＲＲＨが含まれていると、ｃｌｕｓｔｅｒ４の情報は削除する。
【００８４】
【表６】
0005697622.tif 000014
【００８５】
ステップ１０１２において、Ｇｒｅｅｄｙ法に基づいて上から下までクラスタゲインテーブルを検索して、ＧｃがＴｃより大きい条件を満たすクラスタを選択する。ある選択待ちクラスタに含まれているＲＲＨがその前に選択されたクラスタにすでに属している場合、このクラスタは再選択されない。
【００８６】
Ｔｃはクラスタサイズがｃ（ｃ＞１）のときのゲイン閾値であり、Ｔｃ＝１＋Ｏｃと定義する。クラスタゲインＧｃはサイズがｃであるクラスタにおけるすべてのユーザ端末が得た速度の和を、これらのユーザ端末がすべてシングルポイント伝送を使用するときに得る速度の和で割るので、マルチポイント伝送がゲインを有するためにＧｃは少なくとも１より大きくなければならない。Ｏｃはクラスタサイズがｃであるマルチポイント伝送のゲインファクターである。マルチポイント伝送のゲインはシステムの一部の余分のリソースを消耗することによって得られたものであり、伝送の余分のシグナリングオーバーヘッド、ＲＥリソース占用オーバーヘッド（例えばパイロット占用）、計算複雑度オーバーヘッドなどが含まれる。クラスタサイズがｃであるマルチポイント伝送ユーザ端末のフィードバックオーバーヘッドはしばしばシングルポイント伝送のｃ倍より多い。シングルポイントのチャネル情報を送信するほかに、ポイント間の相対チャネル情報も送信するため、ＲＥのリソース占用オーバーヘッド（例えばパイロット占用）は、単純にマルチポイント伝送がシングルポイント伝送の２ｃ倍であると見なすことができ、あるポイントでパイロットを送信するときに、その他のポイントの同じ時間周波数リソースはすべて穴あけする必要がある。計算複雑度オーバーヘッドに対しては、ｃの増大につれて指数が増える。そのため、如何にオーバーヘッドを行ない、ゲインをもたらすかのマッピングモデリングは非常に複雑なプロセスである。本特許において、説明しやすくするために、Ｏｃは運営の実際希望値に基づいて動的な割り当てを行なうことができ、この値はｃの増大につれて大きくなると仮定する。例えば、好ましいフィードバックを考慮するとき、値の範囲は０．１〜０．４であるが、実際の状況においては、コードブックの設計、量子化誤差とフィードバック遅延の影響により、フィードバックは理想的になれない。そのため、この値は適切に下方調整することができる。
【００８７】
ステップ１０１３において、条件を満たさない残りのユーザ端末にメインサービスＲＲＨを割り当ててシングルポイント伝送を行なう。
【００８８】
以上では本発明の分散アンテナシステムの伝送方式の動的切換方法について説明したが、本発明はこれに限らず、必要に応じて変更することができる。
【００８９】
例えば、図６のプロセスにおいて、クラスタサイズｃの１から始めて、クラスタサイズｃを１ずつ増やしてクラスタリングを行なう。当然ながらクラスタリングを行なうときのクラスタサイズｃの値とクラスタサイズｃの変化順は状況に応じて適切に変えることができる。
【００９０】
以下、図７を参照しながら本発明の「クラスタゲイン」に基づく動的クラスタリング方法の簡単な実現例について説明する。
【００９１】
図７は本発明における「クラスタゲイン」に基づく動的クラスタリング方法の簡単な実現例である。図７に示すように、ネットワークには９個のリモート無線サービスユニットがあり、それぞれ１〜９までの数字で表す。最大のクラスタサイズは３に設定する。
【００９２】
ステップ１：図６におけるステップ１００１にしたがって、それぞれのＲＲＨのユーザ優先度リスト表から優先度が最も大きいものを一つ選択する。ここでは、図４で説明した方法にしたがって表７のような測定情報テーブルを生成する。
【００９３】
【表７】
0005697622.tif 000015
【００９４】
この測定情報テーブの各行は一つのスケジューリングしたユーザに対応する。ユーザからフィードバックされたチャネル状態情報に基づいて表８のようなチャネル状態情報テーブルを得る。
【００９５】
【表８】
0005697622.tif 000016
【００９６】
それぞれのユーザは図６のステップ１００３の方法にしたがって、シングルポイント伝送のＳＩＮＲを計算し、表９のようなＳＩＮＲ値を取得したとする。
【００９７】
【表９】
0005697622.tif 000017
【００９８】
Ｔ１を１ｄＢとする。計算により、ユーザ１とユーザ５のＳＩＮＲ値が閾値Ｔ１を超えたため、ユーザ１とユーザ５はそれぞれメインサービス基地局によってシングルポイント伝送を行なう。このときのクラスタリング結果のテーブルは表１０の通りである。
【００９９】
【表１０】
0005697622.tif 000018
【０１００】
ここまで、クラスタサイズが１であるクラスタ（即ち、数字１が示すクラスタと数字５が示すクラスタ）を二つ取得し、クラスタリングの状態は図７（Ａ）に示す通りである。
【０１０１】
ステップ２：割り当て済みのＲＲＨとユーザ（ＵＥ１，ＵＥ５およびＲＲＨ１，ＲＲＨ５）、及び対応するチャネル状態情報を削除する。
【０１０２】
【表１１】
0005697622.tif 000019
【０１０３】
上記表１１のチャネル状態情報テーブルに基づいて、図６のステップ１０１０の方法にしたがって、ＲＲＨに対して組み合わせを行なう。２ポイント伝送のクラスタゲインを計算してクラスタゲインリスト表１２を取得する。その中で、重複したＲＲＨ組合結果を削除する。
【０１０４】
【表１２】
0005697622.tif 000020
【０１０５】
上記表１２を新たに整理して、重複したクラスタ情報を削除し、クラスタゲイン値の大から小の順にしたがって、表１３のように並べる。
【０１０６】
【表１３】
0005697622.tif 000021
【０１０７】
Ｇ２がＴ２より大きい組み合わせを選択する。Ｔ２＝１．１５とすると、Ｏ２＝０．１５になる。即ち、二つのポイントの協調によるオーバーヘッドを考えると、システムのゲインは少なくとも１５％に達する必要がある。Ｇｒｅｅｄｙのアルゴリズムによって選択されたクラスタは｛４、７｝と｛８、９｝である。そして、表１４のようなクラスタ結果テーブルが得られる。
【０１０８】
【表１４】
0005697622.tif 000022
【０１０９】
ここまで、クラスタサイズが２であるクラスタ（即ち、数字４、７が示すクラスタと数字８、９が示すクラスタ）をさらに二つ取得し、クラスタリングの状態は図７（Ｂ）に示す通りである。
【０１１０】
ステップ３：割り当て済みのＲＲＨとユーザ、および対応するチャネル状態情報を削除して表１５を取得する。
【０１１１】
【表１５】
0005697622.tif 000023
【０１１２】
上記表１５のチャネル状態情報テーブルに基づいて、図６のステップ１０１０の方法にしたがって、ＲＲＨに対して組み合わせを行ない、重複したＲＲＨ組み合わせ結果を削除する。３ポイント伝送のクラスタゲインを計算してクラスタゲインリスト表１６を取得する。Ｔ３＝１．２とする。三つのポイントの協調によるオーバーヘッドを考えると、システムのゲインは少なくとも２０％に達する必要がある。Ｇｒｅｅｄｙのアルゴリズムによって選択されたクラスタは｛２、３、６｝である。
【０１１３】
【表１６】
0005697622.tif 000024
【０１１４】
そして、表１７のようなクラスタリング結果テーブルが得られる。
【０１１５】
【表１７】
0005697622.tif 000025
【０１１６】
ここまで、クラスタサイズが３であるクラスタ（即ち、数字２、３、６が示すクラスタ）をさらに一つ取得し、クラスタリングの状態は図７（Ｃ）に示す通りである。
【０１１７】
このとき、システム内の残りのＲＲＨとユーザ数はいずれも０であり、アルゴリズムは終了する。
【０１１８】
以上、本発明の移動通信システムおよびそのリモート無線ユニットクラスタリング方法について説明したが、続いては、本発明と従来技術との異なる点について簡単に比較する。従来技術の動的クラスタリング方法においてはクラスタサイズが固定されているが、本発明における動的クラスタリング方法においてはクラスタサイズが動的に可変する。即ち、あるスケジューリング時刻内において、含まれている複数のクラスタのクラスタサイズはすべて同じではない。これにより、クラスタサイズの異なるマルチポイント伝送間の切り換えが実現可能だけでなく（例えば、クラスタサイズがそれぞれ２、３であるクラスタが存在する）、さらにシングルポイント伝送とマルチポイント伝送の二種類の本質的に完全に異なる伝送方式間の切り換えも実現可能である（例えば、クラスタサイズがそれぞれ１、２であるクラスタが存在する）。
【０１１９】
当然ながら、従来の技術において、クラスタリングされていないリモート無線ユニットの数がクラスタサイズより小さいときにも、リモート無線ユニットの数がクラスタサイズより小さいクラスタが存在する。例えば、図１１に示すクラスタサイズが２である状況１において、リモート無線ユニットが１７個である場合、リモート無線ユニットが二つであるクラスタが存在すると同時に、リモート無線ユニットが１であるクラスタも必ず存在する。しかし、そのリモート無線ユニットの数が異なるクラスタの存在は受動的であり、その本質は本発明と異なる。本発明はそれぞれのクラスタの中のリモート無線ユニットの個数を主動的に変更することにより集中ベースバンドプールに基づく分散アンテナシステムにおけるリモート無線ユニットの割り当てをより合理的にする。
【図１】
0005697622.tif 000026
【図２】
0005697622.tif 000027
【図３】
0005697622.tif 000028
【図４】
0005697622.tif 000029
【図５】
0005697622.tif 000030
【図６】
0005697622.tif 000031
【図７】
0005697622.tif 000032
【図８】
0005697622.tif 000033
【図９】
0005697622.tif 000034
【図１０】
0005697622.tif 000035
【図１１】
0005697622.tif 000036